(57)【要約】【課題】冷却作用を有するので夏場でも過度の温度上昇がなく、軽量で防水層、下地に過重な負担がかからず、また、必要に応じて簡単に防水層面を露出させて簡便に改修・補修工事を可能にする保護層を具えた防水層構造の実現。  【解決手段】建物の屋上等に形成される防水層構造であって、下地上面に形成される防水層と防水層上面に形成される保護層とを具え、この保護層は貯水パンとこの貯水パンに収納される透水性保水ブロックとからなり、降水、潅水等による前記水分を透水性保水ブロックに保持するとともに透水性保水ブロックの水分保持容量を超えた水分は前記貯水パンに導いて貯留し、その貯留容量を超えた水は貯水パン外部に排出させるようにした防水層構造を提供して、上記課題を解決する。【選択図】  図７
2014084610.tif 000002
【特許請求の範囲】
【請求項１】
建物の屋上等に形成される防水層構造であって、下地上面に形成される防水層と防水層上面に形成される保護層とを具え、この保護層は貯水パンとこの貯水パンに収納される透水性保水ブロックとからなり、降水、潅水等による前記水分を透水性保水ブロックに保持するとともに透水性保水ブロックの水分保持容量を超えた水分は前記貯水パンに導いて貯留し、その貯留容量を超えた水は貯水パン外部に排出させるようにしたことを特徴とする防水層構造。
【請求項２】
請求項１記載の防水層構造において、前記保護層は前記透水性保水ブロックを収納した前記貯水パンを複数連結して構成したことを特徴とする防水層構造。
【請求項３】
請求項１又は２記載の防水層構造において、前記透水性保水ブロックは本体部と脚部とからなり、本体部と貯水パンとの間に貯水空間を形成したことを特徴とする防水層構造。
【請求項４】
請求項３記載の防水層構造において、前記透水性保水ブロックの側面には前記貯水パンの内壁に形成した凸条部に嵌合する凹部を形成したことを特徴とする防水層構造。
【請求項５】
請求項４記載の防水層構造において、連結される前記貯水パンは凸条部が形成された側壁と凸条部が形成されていない側壁とを連結して、この連結部にスリットを形成して側壁の撓みを可能にして貯水パンへの透水性保水ブロックの収納を容易にしたことを特徴とする防水層構造。
【請求項６】
請求項５記載の防水層構造において、貯水パンへの透水性保水ブロックの収納後に前記スリットにクサビを打ち込み透水性保水ブロックを固定させるようにしたことを特徴とする防水層構造。
【請求項７】
請求項１ないし６いずれか記載の防水層構造において、前記貯水パンには給水パイプを設けたことを特徴とする防水層構造。
【請求項８】
請求項１ないし７いずれか記載の防水層構造において、前記貯水パンの内底面には保水部材を設けたことを特徴とする防水層構造。
【請求項９】
請求項３記載の防水層構造において、透水性保水ブロックはその本体部を貯水パン内に設けられた係合部にねじ止めにより固定したことを特徴とする防水層構造。
【請求項１０】
請求項９記載の防水層構造において、前記係合部は貯水パン内底に立設した基部とこの基部の頂部に連結される固定部とにより構成したことを特徴とする防水層構造。
【発明の詳細な説明】
【技術分野】
【０００１】
本願発明は、建物の屋上等に施工される防水層構造に関し、詳しくは防水層上に構築されこれを保護するととともに冷却作用を有する保護層を具えた防水構造に関するものである。
【背景技術】
【０００２】
従来、建物の屋上等に施工される防水層の保護層は、防水層の上に養生モルタルを塗り、その上に押えコンクリートを打設して構成されていた。  そして、保護コンクリート面は、夏季には摂氏６０〜７０度にも達することも稀ではなく、これに伴い防水層、屋上下地も加熱され建物自体も熱を帯びて居住性が損なわれるばかりか、それらの劣化の原因ともなっている。  また、コンクリート保護層の荷重は１０ｃｍの厚さで、１平米あたり２４０ｋｇにも達するから屋上に過大な負担をかけることにもなっている。  さらに、防水層の改修・補修には保護コンクリート層の除去という大掛かりな工事を余儀なくされている。
【０００３】
本願に関連して、以下の技術文献が存在する。
【特許文献１】特開２００８−０９５４２１号公報
【特許文献２】特開２００４−１５６３０３号公報
【特許文献３】特開２００２−２５０１００号公報
【特許文献４】特開平０５−１１３０２３号公報
【発明の開示】
【発明が解決しようとする課題】
【０００４】
本願発明は、上記従来の問題点に鑑みてなされたもので、冷却作用を有するので夏場でも過度の温度上昇がなく、軽量で防水層、下地に過重な負担がかからず、また、必要に応じて簡単に防水層面を露出させて簡便に改修・補修工事を可能にする保護層を具えた防水層構造の提供を目的としている。
【課題を解決するための手段】
【０００５】
本願発明は、建物の屋上等に形成される防水層構造であって、下地上面に形成される防水層と防水層上面に形成される保護層とを具え、この保護層は貯水パンとこの貯水パンに収納される透水性保水ブロックとからなり、降水、潅水等による前記水分を透水性保水ブロックに保持するとともに透水性保水ブロックの水分保持容量を超えた水分は前記貯水パンに導いて貯留し、その貯留容量を超えた水は貯水パン外部に排出させるようにしてなる防水層構造を提供して、上記従来の課題を解決しようとするものである。
【０００６】
また、上記段落０００４記載の防水層構造において、前記保護層は前記透水性保水ブロックを収納した前記貯水パンを複数連結して構成することがある。
【０００７】
さらに、上記段落０００４又は０００５記載の防水層構造において、前記透水性保水ブロックは本体部と脚部とからなり本体部と貯水パンとの間に貯水空間を形成する構成となすことがある。
【０００８】
またさらに、上記段落０００６記載の防水層構造において、前記透水性保水ブロックの側面には前記貯水パンの内壁に形成した凸条部に嵌合する凹部を形成した構成となすことがある。
【０００９】
また、上記段落０００７記載の防水層構造において、連結される前記貯水パンは凸条部が形成された側壁と凸条部が形成されていない側壁とを連結して、この連結部にスリットを形成して側壁の撓みを可能にして貯水パンへの透水性保水ブロックの収納を容易にする構成となすことがある。
【００１０】
さらにまた、上記段落０００８記載の防水層構造において、貯水パンへの透水性保水ブロックの収納後に前記スリットにクサビを打ち込み透水性保水ブロックを固定させる構成となすことがある。
【００１１】
また、上記段落０００４ないし０００９いずれか記載の防水層構造において、前記貯水パンには給水パイプを設ける構成となすことがある。
【００１２】
そして、上記段落０００４ないし００１０いずれか記載の防水層構造において、前記貯水パンの内底面には保水部材を設ける構成となすことがある。
【００１３】
さらに、前記段落０００６記載の防水層構造において、透水性保水ブロックはその本体部を貯水パン内に設けられた係合部にねじ止めにより固定する構成となすことがある。
【００１４】
また、前記段落００１２記載の防水層構造において、前記係合部は貯水パン内底に立設した基部とこの基部の頂部に連結される固定部とにより構成することがある。
【発明の効果】
【００１５】
以上の構成を有する本願発明は、次のような効果を奏する。
冷却作用を有するので夏場でも過度の温度上昇を低廉なコストで抑制できヒートアイランド現象を緩和可能で、しかも、従来の保護コンクリートに比べて軽量であるから防水層、下地に過重な負担がかからない。  また、必要に応じて簡単にすなわち貯水パンを移動させるだけで防水層面を露出させて簡便に改修・補修工事が可能になるから、工期が短縮できかつ施工コストも低廉なものとなる。  さらに、保護層には水が恒常的に存在するため、降雪時にも融雪作用がなされて過度な積雪を防止できる。
【発明を実施するための最良の形態】
【００１６】
本願に係る貯水パンは、軽量化とコストの見地から樹脂材で形成するのが好ましい。  また、透水性保水ブロックは微細な空隙を有する多孔質材を骨材として成形したものが望ましい。  このような骨材としては、高炉水砕スラグ、廃ガラス材、廃陶磁器材、軽量火山岩などの粒材その他が挙げられる。
貯水パンは風対策として防水層等に固定する必要があるが、防水層や下地部の補修工事を容易になすために接着工法が望ましい。  必要に応じて機械的固定も可能であるが、この場合も貯水パンの撤去による防水そう面の露出作業は従来のコンクリート保護層を撤去するのに比べてはるかに容易である。
【実施例】
【００１７】
図面に基づいて本願発明の実施例を説明する。
図１は、本願発明に係る防水層構造Ｓの１実施例を示す概略構成を示す一部断面切欠図である。  防水層構造Ｓは、建造物の屋上等の下地１上面に張設される防水層２と防水層２の上面に設けられる保護層Ｐとを具えている。  この保護層Ｐは後述の貯水パン３とこの貯水パン３内に収納され同じく後述する透水性保水ブロック４とからなっている。
このような構成において、降水、潅水等による水分は透水性保水ブロック４に浸透しここで保持される一方、透水性保水ブロック４の水分保持容量を超えた水分は貯水パン３に溢出し貯留され、次いで、貯水パン３の貯留容量を超えた水は貯水パン３の外部に排出されることになる。  
【００１８】
このように、保護層Ｐには降水、潅水等により恒常的に水分が存在することになり夏季の温度の過度な上昇が抑制されることになる。  すなわち、保護層Ｐからの水の蒸発による気化熱により保護層Ｐは冷却される。  また、水の比熱は大きいから、これによって温度の急激な変化が緩和され冬場でも夜間の急激な温度低下が抑制されることになる。
また、保護層Ｐには水が恒常的に存在するため、降雪時にも融雪作用がなされて屋上等への過度な積雪を防止でき建物の保全に資することができる。
【００１９】
図２は、保護層Ｐの１実施例を示す斜視図で、保護層Ｐは複数連結された貯水パン３を具え各貯水パン３は透水性保水ブロック４（図２では不図示）を収納するようになっている。また、図３は図２における単位貯水パン３を示す斜視図である。  連結される前記貯水パン３は凸条部３１が形成された側壁３２と凸条部３１が形成されていない側壁３３とが連結されている。  そして、側壁３２と側壁３３との連結部３４にはスリット３５が形成され、側壁３３の撓みを可能にして貯水パン３への透水性保水ブロック４の収納を容易にしている。  なお、図２において、６は貯水パン３の上縁部に設置された給水パイプで降雨による水が不足した場合に適宜潅水できるようになっている。
【００２０】
貯水パン３につき、図３によりさらに説明する。貯水パン３はほぼ正方形で四周側壁により凹状容器をなしており、その凹部空間に透水性保水ブロック４が収納される。  図示のように、側壁３２の内側には凸条部３１、３１が形成され、この側壁に対向する側壁３３は凸条部を有していない。  貯水パン３を複数連結する場合は図２に示すように側壁３２と側壁３３の上縁部分に一体に形成される連結部３４によっている。  そして、連結部３４にはスリット３５が形成されている。
【００２１】
図３において、後述の透水性保水ブロック４は貯水パン３の凹部空間に収納されるが、その収納は前記側壁３３部分を弓状に撓ませた状態で透水性保水ブロック４の側部に形成した凹部を前記側壁３２の凸条部３１、３１に係合させるようにして収納する。  そして、透水性保水ブロック４の収納を固定するために前記スリット３５にクサビを打ち込み固定の緩みを防止するようになっている。
【００２２】
図４は、透水性保水ブロックの１実施例を示す斜視図である。  透水性保水ブロック４は微細な空隙を有する多孔質材を骨材として成形したもので、この実施例では高炉水砕スラグ、廃ガラス材、廃陶磁器材、軽量火山岩などの粒材を骨材とした成形されている。
透水性保水ブロック４は、本体部４１その四隅に形成される脚部４２とからなり、この脚部４２を介して透水性保水ブロック４は前記貯水パン３内に収納される。前記脚部４２により貯水パン３の内底面と本体部４１との間には図６に示すように貯水空間４５が形成され冷却効果を奏するようになっている。  そして、本体部４１の側面には凹部４３が形成されている。  この凹部４３は段落００１８で説明したように、貯水パン３の側壁３２の凸条部３１に係合するようになっている。なお、透水性保水ブロック４と貯水パン３の内底面の間に保水部材としての不織布層を設けることがある。
【００２３】
図５は、貯水パン３相互の連結部分における関連構成を示す一部切欠断面図である。貯水パン３、３に透水性保水ブロック４、４を段落００１８で述べたような手順で収納して、さらに透水性保水ブロック４の収納を固定するために連結部３４に形成されて前記スリット３５にクサビ５が打ち込まれ、透水性保水ブロック４の外れを防止するようになっている。
【００２４】
図６は、貯水パン３内に形成される貯水空間４５を示す断面図であり、この貯水空間４５は透水性保水ブロック４の脚部４２により貯水パン３の内底面と透水性保水ブロック４の本体部４１との間に形成されている。
【００２５】
図７は、本願発明の他の実施例を示す断面図であり、透水性保水ブロック４はその本体部４１を貯水パン３内に設けられた係合部４６にねじ４７により固定されている。
【００２６】
図８ないし図１０に示すように、前記係合部４６は貯水パン３内底に立設した基部５０とこの基部５０の頂部に連結される固定部６０とにより構成されている。
【００２７】
図８は、基部５０を示す斜視図であり、この基部５０はほぼ４角錐台の形状をなしていて、図示のように各壁面５１の境界部分にはスリット５２が形成されていて、後述のように前記固定部６０を各壁面５１を押し広げながら嵌合することが可能になっている。  また、各壁面５１の上端はそれぞれ内側に折曲していて後述のように固定部６０を把持固定できるようになっている。
【００２８】
図９は、前記固定部６０を示す斜視図であり、この固定部６０も、ほぼ４角錐台の形状をなしていて、壁面の上方部分には凹部６１が四周にわたり形成されている。  なお、２対の壁面のうち１対には開口部６３が形成されていて開口面を有する壁面を撓ませて固定部６０を前記基部５０に嵌め込むようになっている。
【００２９】
図１０は、前記係合部４６の一部断面図である。  この係合部４６は、基部５０の開口する底部から固定部６０を矢符のように押し上げるようにして嵌め合わせるようにして基部５０の壁面５１の上端折曲部分を固定部６０の前記凹部６１に嵌合させて形成されている。  固定部６０の前記押し上げに際して、基部５０の各壁面５１はスリット５２の存在により外側に撓み、同時に固定部６０の開口面を有しない一対の壁面５１は内側に撓むことにより固定部６０の基部５０への取り付け固定は円滑になされる。
固定部６０の頂部には前記ねじ４７により透水性保水ブロック４の本体部４１が固定されることになる。
【図面の簡単な説明】
【００３０】
【図１】防水層構造Ｓの１実施例を示す概略構成を示す一部断面切欠図である。
【図２】保護層Ｐの１実施例を示す斜視図である。
【図３】図２における単位貯水パン３を示す斜視図である。
【図４】透水性保水ブロックの１実施例を示す斜視図である。
【図５】貯水パン相互の連結部分における関連構成を示す一部切欠断面図である。
【図６】貯水パン３内に形成される貯水空間４５を示す断面図である。
【図７】本願発明の他の実施例を示す断面図である。
【図８】図７の実施例における基部５０を示す斜視図である。
【図９】図７の実施例における固定部６０を示す斜視図である。
【図１０】図７の実施例における係合部４６の一部断面図である。
【符号の説明】
【００３１】
Ｓ．．．．．．．防水層構造置
Ｐ．．．．．．  保護層
Ｔ．．．．．．  耐根層
Ｎ．．．．．．  接着層
１．．．．．．．下地
２．．．．．．．防水層
３．．．．．．．貯水パン
４．．．．．．  透水性保水ブロック
５．．．．．．  クサビ
６．．．．．．  給水パイプ
４１．．．．．．本体部
４２．．．．．．脚部
４５．．．．．．貯水空間
４６．．．．．．係合部
４７．．．．．．ねじ
５０．．．．．．基部
６０．．．．．．固定部
【図１】
2014084610.tif 000003
【図２】
2014084610.tif 000004
【図３】
2014084610.tif 000005
【図４】
2014084610.tif 000006
【図５】
2014084610.tif 000007
【図６】
2014084610.tif 000008
【図７】
2014084610.tif 000009
【図８】
2014084610.tif 000010
【図９】
2014084610.tif 000011
【図１０】
2014084610.tif 000012